(57)【要約】【課題】隙間を目立ち難くしつつ、施工性の向上と製造コストの上昇を抑制する。【解決手段】照明器具は、器具本体１と、１乃至複数のそえ板７とを備える。器具本体は１、照明空間に臨む面に開口部を有した箱状に形成され、且つ前記開口部を挟んで、対向する２つの側面のうちの少なくとも１つの側面に他の器具本体１が連結されるように構成さる。そえ板７は、器具本体１において、他の器具本体１と連結される開口部３４の近くに固定され開口部３４から他の器具本体１に向かって突出する第１の状態と、開口部３４から他の器具本体１に向かって突出しない第２の状態との間で変位可能に構成される。【選択図】図１
2016025065.tif 000002
【特許請求の範囲】
【請求項１】
器具本体と、１乃至複数のそえ板とを備え、
前記器具本体は、照明空間に臨む面に開口部を有した箱状に形成され、且つ前記開口部を挟んで、対向する２つの側面のうちの少なくとも１つの側面に他の器具本体が連結されるように構成され、
前記そえ板は、前記器具本体において、前記他の器具本体と連結される連結部位の近くに固定され前記連結部位から前記他の器具本体に向かって突出する第１の状態と、前記連結部位から前記他の器具本体に向かって突出しない第２の状態との間で変位可能に構成されることを特徴とする照明器具。
【請求項２】
枠部を備え、
前記枠部は、前記器具本体の開口部の周縁のうち、前記他の器具本体との連結方向に沿った周縁から前記開口部と離れる向きに突出するように構成され、前記そえ板は、前記枠部における前記連結部位の近くに固定されることを特徴とする請求項１記載の照明器具。
【請求項３】
前記そえ板は、前記器具本体又は前記枠部に固定される固定部と、前記固定部に設けられる軸部と、前記軸部に回転可能に支持される可動部とを有することを特徴とする請求項１又は２記載の照明器具。
【発明の詳細な説明】
【技術分野】
【０００１】
本発明は、照明器具に関する。
【背景技術】
【０００２】
従来、器具本体と、枠体と、パネルとを備える天井埋め込み型の連結用照明器具が提供されている。これら複数の照明器具は、それぞれの器具本体が長手方向に一直線上に並ぶように天井に取り付けられている。
【０００３】
器具本体は、下面に開口部を設けた箱形に形成される。器具本体の開口部の周縁には、枠体が設けられる。枠体は、開口部の連結方向に沿った両側に設けられる一対の側枠部で構成される。側枠部は、上面が開口するＵ字型に形成される。パネルは、器具本体の開口部を塞ぐように、枠体の内側に取り付けられる。
【０００４】
ところで、上記のような照明器具では、隣り合う照明器具の間に生じる隙間を目立ち難くするために、そえ板を備えている。
【０００５】
そえ板は、隣接する照明器具において、向かい合う側枠部（第１側枠部、第２側枠部）の端部同士に渡るように設けられる。そえ板は、第１側枠部に、そえ板の一部が突出するように固定され、第１側枠部と向かい合う第２側枠部にそえ板の突出した部位が挿入される。このように、第１側枠部と第２側枠部の間（隙間）をそえ板が覆っているので、隙間が下方から目立ち難くなる。
【０００６】
しかしながら、このような照明器具において、例えば、２台の照明器具が一直線上に並んで連結されており、そえ板は、下方から見て左側の器具本体の側枠部に固定されているとする。仮に作業者が左側の枠体を照明器具から取り外そうとした場合、そえ板が挿入されている側枠部、つまり右側の器具本体の枠体から先に取り外さなければならない。ゆえに、照明器具の連結台数が増えるほど施工性が悪化するという問題があった。
【０００７】
そこで、特許文献１記載の従来例では、そえ板を設ける代わりに、側枠部の一端に切り欠き穴が形成され、当該側枠部の他端に嵌め合わせ片が形成される。そして、隣り合う側枠部は、切り欠き穴と嵌め合わせ片が互いに嵌め合わされることで接続される。ゆえに、作業者が任意の器具本体から枠体を取り外す場合、その器具本体の枠体だけを取り外すことが可能である。
【０００８】
このように、特許文献１記載の従来例では、隣り合う側枠部が互いに接続されることで、照明器具の下方から隙間が目立ち難くなり、照明器具の見栄えを良くし、施工性の向上を図ることができる。
【先行技術文献】
【特許文献】
【０００９】
【特許文献１】特開平９−２３１８１７号公報
【発明の概要】
【発明が解決しようとする課題】
【００１０】
ところで、特許文献１記載の従来例では、側枠部同士が当接されることで、隙間を目立ち難くしている。しかしながら、実際は寸法のばらつき等のため、当接させることが難しい場合がある。また、特許文献１記載の従来例では、枠体の側枠部の形状が複雑になるため、加工を施すのに製造コストの上昇を招いてしまう虞がある。
【００１１】
本発明は、上記事由に鑑みて為されたものであり、隙間を目立ち難くしつつ、施工性の向上と製造コストの上昇を抑制することを目的とする。
【課題を解決するための手段】
【００１２】
本発明の照明器具は、器具本体と、１乃至複数のそえ板とを備え、前記器具本体は、照明空間に臨む面に開口部を有した箱状に形成され、且つ前記開口部を挟んで、対向する２つの側面のうちの少なくとも１つの側面に他の器具本体が連結されるように構成され、前記そえ板は、前記器具本体において、前記他の器具本体と連結される連結部位の近くに固定され前記連結部位から前記他の器具本体に向かって突出する第１の状態と、前記連結部位から前記他の器具本体に向かって突出しない第２の状態との間で変位可能に構成されることを特徴とする。
【発明の効果】
【００１３】
本発明の照明器具は、隙間を目立ち難くしつつ、施工性の向上と製造コストの上昇を抑制することができるという効果がある。
【図面の簡単な説明】
【００１４】
【図１】本発明に係る照明器具の実施形態の要部を示す一部省略した斜視図である。
【図２】同上の要部を示す一部省略した斜視図である。
【図３】同上の要部を示す斜視図である。
【図４】同上を示し、図４Ａは半断面図、図４Ｂは側面断面図、図４Ｃは一部省略した平面図である。
【図５】同上の要部を示す側面断面図である。
【発明を実施するための形態】
【００１５】
以下、本発明に係る照明器具の実施形態について図１から図５を参照して詳細に説明する。
【００１６】
本実施形態の照明器具は、器具本体１と、電源装置５と、ランプソケット６と、１乃至複数のそえ板７とを備える。本実施形態の照明器具は、埋込型且つ連結型であって、長手方向に沿って一直線上に２個以上並べられて天井１００に設置される。ただし、本実施形態の照明器具は、天井１００だけに限らず壁等に埋め込まれても良い。なお、以下の説明では、特に断りのない限り、図１において照明器具の上下左右及び前後の各方向を規定する。
【００１７】
器具本体１は、本体部２と、反射板３と、枠部４とを備える（図４Ａ参照）。
【００１８】
本体部２は、板金に曲げ加工を施すことで、長尺且つ下部に開口部を有する矩形の箱型に形成される。ただし、本体部２は矩形の箱形に限定されない。本体部２は、天板２１と、４つの側壁とを備える。天板２１は、長尺の矩形に形成され、吊りボルト１０１を挿通させる１乃至複数個の挿通孔１０４が設けられる（図４Ｃ参照）。側壁は、長手方向に沿った１対の第１側壁２２と、第１側壁２２の長手方向の両端に設けられる１対の第２側壁２３とで構成される。第２側壁２３は、反射板３の外形に沿うように一部が切り欠かれている（図４Ａ参照）。本体部２は、天井１００に設置される。本体部２は、埋込孔１０５に埋め込まれ、天板２１に設けられた挿通孔１０４に吊りボルト１０１が挿入されてナット１０２によって固定される。本体部２の内部には、電源装置５が取り付けられることが好ましい。また、本体部２の内部には、反射板３とランプソケット６とを取り付けるための反射板取付金具８が設けられることが好ましい（図４Ａ、図４Ｂ参照）。
【００１９】
電源装置５は、例えば、外部からの電力を安定化させてランプソケット６を介して光源９に供給し、光源９を点灯させる（図４Ａ参照）。ただし、電源装置５は、本体部２の外に設置されても構わない。
【００２０】
ランプソケット６は、胴部６０と、ソケット部６１と、ソケット台６２と、係止爪６０１とを備える。ソケット部６１は、直管型蛍光ランプの口金と電気的かつ機械的に結合する部位であって、胴部６０の一端に設けられる。係止爪６０１は、胴部６０に複数個設けられる。ソケット台６２は、ソケット部６１が下方になるように、反射板取付金具８の底板８２に係止爪６０１によって固定される（図４Ａ参照）。ランプソケット６は、電気ケーブル（図示しない）を用いて電源装置５と電気的に接続される。
【００２１】
反射板取付金具８は、矩形の箱形に形成され、平坦な底板８２を備える。底板８２には、ねじ８１を挿通させるためのねじ孔８３が設けられる（図４Ｂ参照）。
【００２２】
反射板３は、左右方向に長尺且つ下部が開口した箱形に形成され、天板３１と、左右方向に沿った１対の第１側壁３２と、前後方向に沿った１対の第２側壁３３とを備える。反射板３は、図１に示すように、第１側壁３２が下方に向かって外に広がるように形成される。第２側壁３３は、図４に示すように、複数台の照明器具が左右方向に連結される場合、連結される側が取り除かれて開放される（図１参照）。以下、連結される側の第２側壁３３が取り除かれて開放される箇所を開口部３４と呼ぶ。天板３１には、ランプソケット６を挿通するための挿通孔３１１が４箇所設けられる（図１参照）。ただし、挿通孔３１１の数は、光源９の数によって増減する。
【００２３】
本実施形態の照明器具において、光源９は、例えば、直管型蛍光ランプである。本実施形態の照明器具は、２組のランプソケット６を備え、各組のランプソケット６にそれぞれ直管型蛍光ランプが装着される（図４Ｂ参照）。ただし、光源９の数は２本に限定されない。また、光源９は、直管型蛍光ランプに限定されず、直管型ＬＥＤ（Light-emitting Diode）ランプ等でも良い。
【００２４】
枠部４は、反射板３と一体に形成される。また、枠部４は、断面形状がＬ字型に形成される（図３参照）。枠部４は、第１側壁３２と第２側壁３３の周縁から、反射板３の下部の開口部から離れる向きに突出する主部４１と、主部４１の第１側壁３２又は第２側壁３３と反対側の端から、上方へ突出する側部４２とで構成される。枠部４は、天井１００の内周面と本体部２の外壁との隙間を覆い隠すための部材である。枠部４は、側部４２の上端が天井１００の下面に当たるように設置される（図４Ａ、図４Ｂ、図４Ｃ参照）。
【００２５】
そえ板７は、図５に示すように、固定部７１と、軸部７２と、可動部７３とを有する。さらに、そえ板７は、ねじりコイルばね（以下、コイルばねと略す。）７４を有することが好ましい。固定部７１と、可動部７３は、鋼板等の金属板によって矩形平板状に形成される。軸部７２は、金属等の材料によって円柱形状に形成され、固定部７１と可動部７３に設けられた軸孔（図示せず）と、コイルばね７４とに挿通される（図５参照）。可動部７３は、固定部７１に対して垂直の状態である開位置と、固定部７１に対して水平の状態である閉位置との間で、軸部７２を軸として回転可能に形成される。また、可動部７３は、コイルばね７４によって、開位置から閉位置に向かって押圧される。
【００２６】
そえ板７は、左右どちらか一方の開口部３４、例えば、図１において、左側の実線で示された反射板３の右端に取り付けられる。そえ板７の固定部７１は、反射板３の天板３１と第１側壁３２における開口部３４の近くにねじ（図示せず）等によって固定される（図１では３か所）。可動部７３の一部は、図５に示すように、固定部７１が固定されている反射板３に当たっている。ゆえに、可動部７３は、図１において、右側の破線で示された反射板３を跨いで固定部７１と水平の状態で保持される。
【００２７】
つまり、可動部７３が閉位置に在る場合、可動部７３は、他の隣り合う照明器具の開口部３４に跨って静止するので、他の隣り合う照明器具との隙間が覆われて隙間が目立ち難くなる。
【００２８】
また、そえ板７は、枠部４にも設けられる（図３参照）。そえ板７の固定部７１は、枠部４の主部４１の開口部３４の近くにねじ止めされる。このように、枠部４にそえ板７が設けられることで、他の隣り合う照明器具との隙間がさらに目立ち難くなる。
【００２９】
以下、一直線上に並べられる２台の照明器具の取付方法について、図１、図２及び図４を参照して説明する。ただし、以下の説明は一例であって、取付方法は限定されない。
【００３０】
反射板３の左右端は、一端が第２側壁３３であって、他端が開口部３４である。また、天井１００の埋込孔１０５は左右方向に長尺な矩形に形成される。
【００３１】
最初に、電源装置５及びランプソケット６が予め取り付けられた２台の反射板取付金具８がねじ止め等の方法で本体部２に取り付けられる（図４Ｂ参照）。そして、ボルト２５が片方の本体部２（図４Ｂでは右側の本体部２）から他方の本体部２の挿通孔１０６に挿通され、ナット２６で締め付けられることで、２つの本体部２が連結される。さらに、２つの本体部２の間には、連結部材２４が設けられて２つの本体部２が互いにずれないように補強される。
【００３２】
次に、図４Ｂにおいて、連結された２つの本体部２は、天井１００に設けられた埋込孔１０５に埋め込まれて吊りボルト１０１に固定される。
【００３３】
２つの反射板３は、互いの開口部３４が向き合うように設置される。
【００３４】
図１において、左側の反射板３及び枠部４には、右端にそえ板７が設けられている。また、図１において、右側の反射板３及び枠部４には、そえ板７が設けられていない。
【００３５】
まず、そえ板７が設けられている方の照明器具の反射板３を本体部２に取り付ける。反射板３は、ランプソケット６が挿通孔３１１に挿通され、本体部２に設けられている２つの反射板取付金具８に、それぞれねじ８１を用いてねじ止めされる。次に、そえ板７が設けられていない右側の反射板３を本体部２に取り付ける。右側の反射板３は、開口部３４が左側、つまり２つの開口部が向かい合うように本体部２に固定される。最後に、各組のランプソケット６にそれぞれ光源（直管型蛍光ランプ）９が装着される（図４Ｂ参照）。
【００３６】
ここで、そえ板７が設けられていない方の反射板３が先に取り付けられても構わない。この場合、そえ板７の可動部７３が開位置に保持された状態で取り付けられなければならない。つまり、作業者は可動部７３を開位置の方向へ押しながら取り付ける必要がある。ゆえに、そえ板７が設けられている方の反射板３が先に取り付けられる事が好ましい。
【００３７】
しかしながら、そえ板７がコイルばね７４を有することで、そえ板７を設けていない照明器具の反射板３を先に取り付ける場合でも、特別な工具等の必要がなく容易に反射板３を取り付けることが可能なので、施工性の向上が期待できる。
【００３８】
例えば、作業者が、そえ板７が設けられている任意の反射板３だけを器具本体１から取り外す場合、反射板３を下方に引っ張ると、そえ板７の可動部７３が、隣り合う照明器具の反射板３及び枠部４に当たることによって、開位置の方向に押されて回転する。したがって、作業者は、隣の反射板３を外さずに、そえ板７が設けられている反射板３だけを取り外すことが可能である。
【００３９】
ところで、照明器具は、ルーバ（図示せず）やパネル（図示せず）を備えても良い。ルーバは、反射板３の下部に取り付けられることで、光源９の光によって生じるグレアを抑制することができる。また、パネルは、反射板３の下部に取り付けることで、光源９の光を拡散することができる。
【００４０】
さらに、そえ板７は、パネルに取り付けられても良い。反射板３がそえ板７を取り付けるのが困難な形状、例えば半円筒形、の場合、パネルにそえ板７を取り付けることによって、照明器具間の隙間を覆っても良い。
【００４１】
本実施形態の照明器具は、器具本体１と、１乃至複数のそえ板７とを備える。器具本体１は、照明空間に臨む面に開口部を有した箱状に形成され、且つ開口部を挟んで、対向する２つの側面のうちの少なくとも１つの側面（第２側壁３３）に他の器具本体１が連結されるように構成される。そえ板７は、器具本体１において、他の器具本体１と連結される連結部位（開口部３４）の近くに固定される。そえ板７は、連結部位（開口部３４）から他の器具本体１に向かって突出する第１の状態（閉位置）と、連結部位（開口部３４）から前記他の器具本体１に向かって突出しない第２の状態（開位置）との間で変位可能に構成される。
【００４２】
したがって、本実施形態の照明器具では、そえ板７が他の器具本体１との間の隙間を覆い、隙間を目立ち難くすることができる。さらに、本実施形態の照明器具では、そえ板７の一部が変位することによって、反射板３の取り付け及び取り外し作業の順番が制限されず、そえ板７が設けられている反射板３のみを取り外し及び取り付けすることが可能である。ゆえに、本実施形態の照明器具では、器具本体１に特殊な加工を施す必要がないため、施工性の向上と製造コストの上昇を抑制することができる。
【００４３】
本実施形態の照明器具は、枠部４を備える。枠部４は、器具本体１の開口部の周縁のうち、他の器具本体１との連結方向に沿った周縁から開口部と離れる向きに突出すうように構成されることが好ましい。そえ板７は、枠部４における連結部位（開口部３４）の近くに固定されることが好ましい。
【００４４】
したがって、本実施形態の照明器具では、枠部４によって天井１００との隙間を目立ち難くすることできる。さらに、本実施形態の照明器具では、枠部４にそえ板７を設けることで、他の器具本体１との間の隙間をさらに目立ち難くすることができる。
【００４５】
そえ板７は、器具本体１又は枠部４に固定される固定部７１と、固定部７１に設けられる軸部７２と、軸部７２に回転可能に支持される可動部７３とを有することが好ましい。
【符号の説明】
【００４６】
１  器具本体
３３  側面（第２側壁）
３４  開口部
７  そえ板
【図１】
2016025065.tif 000003
【図２】
2016025065.tif 000004
【図３】
2016025065.tif 000005
【図４】
2016025065.tif 000006
【図５】
2016025065.tif 000007